【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
多角形の断面を有する段ボール紙シート材料の箱（５５、７１）であって、
箱は、少なくとも４つの主要矩形パネルを含み、少なくとも部分的に箱の底面および／または上面を形成することが可能な少なくとも一連のフラップを備えるベルトを備え、
主要側面パネルのうちの少なくとも２つが中間パネルによって主要中央パネルに接続され、フラップを有さない切断隅を形成し、少なくとも２つの切断隅は折り目によって、互いにまたは隣接する主要パネルに接続される少なくとも２つの切断面の矩形部分によって形成されること、を含み、
切断面の部分が、３ｍｍから２０ｍｍの間の幅を有すること、および少なくとも２つの対向する主要パネルが、異なる幅を有すること、
を特徴とする箱。
【請求項２】
切断面の部分の幅が１０ｍｍ以下であること、を特徴とする請求項１記載の箱。
【請求項３】
各主要パネルが、切断隅によってその隣接する主要パネルに接続されること、を特徴とする、請求項１または２に記載の箱。
【請求項４】
少なくとも２つの切断隅が、同じ高さを有し、それぞれ平行な折り目によって互いに接続される、少なくとも３つの切断面の矩形部分によってそれぞれが形成されること、を特徴とする、請求項１から３のうちのいずれか１項に記載の箱。
【請求項５】
少なくとも２つの切断隅が、同じ高さを有し、それぞれ折り目によって互いに接続される、少なくとも４つの切断面の矩形部分によってそれぞれが形成されること、を特徴とする請求項４記載の箱。
【請求項６】
少なくとも２つの切断隅が、折り目によって互いに接続される、少なくとも８つの切断面の矩形部分によって形成されること、を特徴とする請求項５記載の箱。
【請求項７】
第１の対向する主要パネルのうちの２つが第１の所定の高さを有し、他方の２つの第２の対向する主要パネルが第２の所定の高さを有し、第１の高さが第２の高さとは異なること、を特徴とする、請求項１から６のうちのいずれか１項に記載の箱。
【請求項８】
切断隅が、第２の高さおよび／または第１の高さとは異なる第３の所定の高さを有すること、を特徴とする、請求項１から７のうちのいずれか１項に記載の箱。
【請求項９】
同じ切断隅の少なくとも２つの切断面の部分が、異なる幅を有すること、を特徴とする、請求項１から８のうちのいずれか１項に記載の箱。
【請求項１０】
箱が、少なくとも４つの主要パネルの連続物を含む少なくとも１つのブランクから形成され、少なくとも４つの主要パネルのそれぞれが、切断隅を形成する中間パネルを介して、その隣接するパネルに接続され、
各主要パネルが少なくとも１つのフラップを備え、
各切断隅が少なくとも２つの切断面の部分を含むこと、を特徴とする、請求項１から９のうちのいずれか１項に記載の箱。
【請求項１１】
各主要パネルが下部フラップおよび上部フラップを備え、上部フラップは箱のカバーを形成することが可能で、下部フラップは箱の底面を形成することが可能なこと、を特徴とする、請求項１から１０のうちのいずれか１項に記載の箱。
【請求項１２】
箱が、頭尾配置で互いに巻き付けられ拘束されるブランクのうちの２つから形成されること、を特徴とする請求項１から１０のうちのいずれか１項に記載の箱。
【請求項１３】
段ボール紙シート材料から生産され、多角形の断面の箱を形成することが意図されたブランクまたは２つのブランクのセットであって、
ブランクまたは各ブランクは、ベルトを備え、ベルトは、少なくとも４つの主要矩形パネルを含み、少なくとも部分的に箱の底面および／または上面を形成することが可能な少なくとも一連のフラップを備え、
主要側面パネルのうちの少なくとも２つが中間パネルによって主要中央パネルに接続され、フラップを有さない切断隅を形成し、各中間パネルが折り目によって、互いにまたは隣接する主要パネルに接続される少なくとも２つの切断面の矩形部分によって形成され、
切断面の部分が３ｍｍから２０ｍｍの間の幅を有すること、および少なくとも２つの対向する主要パネルが異なる幅を有すること、
を特徴とするブランクまたは２つのブランクのセット。
【請求項１４】
切断面の部分の幅が１０ｍｍ以下であること、を特徴とする請求項１３記載のブランクまたはブランクのセット。
【請求項１５】
各主要パネルが、中間パネルによってその隣接する主要パネルに接続されること、を特徴とする請求項１３または請求項１４記載のブランクまたはブランクのセット。
【請求項１６】
少なくとも２つの切断隅が、少なくとも３つの切断面の矩形部分によって形成され、少なくとも３つの切断面の矩形部分が、同じ長さを有し、平行な折り目によって互いに接続されること、を特徴とする請求項１３から１５のうちのいずれか１項に記載のブランクまたはブランクのセット。
【請求項１７】
少なくとも２つの切断隅が、少なくとも４つの切断面の矩形部分によって形成され、少なくとも４つの切断面の矩形部分が、同じ長さを有し、折り目によって互いに接続されること、を特徴とする請求項１６記載のブランクまたはブランクのセット。
【請求項１８】
少なくとも２つの切断隅が、折り目によって互いに接続される少なくとも８つの切断面の矩形部分によって形成されること、を特徴とする請求項５記載のブランクまたはブランクのセット。
【請求項１９】
第１の対向する主要パネルのうちの２つが第１の所定の長さを有し、他方の２つの第２の対向する主要パネルが第２の所定の長さを有し、第１の長さが第２の長さとは異なること、を特徴とする請求項１３から１８のうちのいずれか１項に記載のブランク。
【請求項２０】
切断隅が、第２の長さおよび／または第１の長さとは異なる第３の所定の長さを有すること、を特徴とする請求項１３から１９のうちのいずれか１項に記載のブランク。
【請求項２１】
切断隅を形成する、同じ中間パネルの少なくとも２つの切断面の部分が、異なる幅を有すること、を特徴とする請求項１３から２０のうちのいずれか１項に記載のブランクまたはブランクのセット。
【請求項２２】
ベルトを含む、段ボール紙シートの少なくとも１つのブランクから箱を形成する装置であって、ベルトが、少なくとも４つの主要矩形パネルを含み、少なくとも部分的に箱の底面を形成することが可能な一連のフラップを有する少なくとも片側を備え、
フラップを有さない切断隅を形成する中間パネルによって主要中央パネルに接続される少なくとも２つの主要パネルで、各切断隅が、折り目によって互いに接続される少なくとも２つの切断面の矩形部分によって形成され、
装置が、ブランクをピッキングするためのアセンブリを含み、
切断面の部分が３ｍｍから２０ｍｍの間の幅を有し、少なくとも２つの対向する主要パネルが異なる幅を有し、前記装置がマンドレルへの移転中にブランクを接着するための手段を含み、
マンドレルが、
切断隅と協働することが可能な丸みを帯びたアングルを含む少なくとも２つの縁、
箱のベルトを形成するために、マンドレルのまわりにブランクを巻き付けるための手段、
接着剤での接着によって箱の底面を形成するために、丸みを帯びた縁上の切断隅、および
マンドレルのまわりのフラップを折るために構成された押圧手段
を含むこと、
を特徴とする装置。
【請求項２３】
ベルトを含む、段ボール紙シートの少なくとも１つのブランクから箱を形成する方法であって、ベルトが、少なくとも４つの主要矩形パネルを含み、少なくとも部分的に箱の底面を形成することが可能な一連のフラップを有する少なくとも片側を備え、
フラップを有さない切断隅を形成する中間パネルによって主要中央パネルに接続される少なくとも２つの主要パネルで、各切断隅が、折り目によって互いに接続される切断面の矩形部分を形成する少なくとも２つの中間パネルによって形成されることを特徴とし、
切断面の部分が３ｍｍから２０ｍｍの間の幅を有し、少なくとも２つの対向する主要パネルが異なる幅を有し、
ブランクがピッキングされた後で、
ブランクがマンドレルへの移転中に接着され、
マンドレルが、切断隅と協働することが可能な丸みを帯びたアングルを含む少なくとも２つの縁を含み、
箱のベルトを形成するために、ブランクがマンドレルのまわりに巻き付けられ、
箱の切断隅および底面を形成するために、中間パネルが丸みを帯びた縁に押圧され、フラップがマンドレルのまわりに押圧されることを、
特徴とする、方法。
【請求項２４】
箱が２つのブランクから形成され、いったん第１のブランクが形成されると、第２のブランクが第１のブランクに巻き付けられること、を特徴とする請求項２３記載の箱を形成する方法。